(57)【要約】【課題】消費電力を低減する機器システムを提供する。【解決手段】本発明に係る給湯システム１は、ヒートポンプ機器100及びタンク機器200と、通信線20と、上記電気機器それぞれに設けられており、通信線20を通して通信するための通信部120,220及びこの通信部120,220を制御する制御部110,210と、を備え、通信部120,220それぞれは、通信電源部140,240と、電力線から電力の供給を受け、通信電源部140,240への電力の供給又は遮断を行う電力供給部121,221と、通信電源部140,240から電力の供給を受ける送信部124,224と、を有し、制御部110,210は、送信部124,224に送信させるときには送信124,224へ電力を供給するように、送信部124,224に送信させないときには送信部124,224への電力の供給を停止するように、電力供給部を制御する。【選択図】図４
2009299956.tif 000002
【特許請求の範囲】
【請求項１】
複数の電気機器（１００、２００）と、
前記電気機器（１００、２００）にそれぞれ設けられた通信部（１２０、２２０）と、
前記通信部（１２０、２２０）同士を接続する通信線（２０）と、
前記通信部（１２０，２２０）を制御する制御部（１１０，２１０）と、
を備え、
前記通信部（１２０，２２０）は、
通信電源部（１４０，２４０）と、
前記通信電源部（１４０，２４０）への電力の供給又は供給の停止を行う電力供給部（１２１，２２１）と、
前記通信電源部（１４０，２４０）から電力の供給を受ける送信部（１２４，２２４）と、
を有し、
前記制御部（１１０，２１０）は、前記送信部（１２４，２２４）に送信させるときには、前記通信電源部（１４０，２４０）へ電力を供給するように前記電力供給部（１２１，２２１）を制御し、前記送信部（１２４，２２４）に送信させないときには、前記通信電源部（１４０，２４０）への電力の供給を停止するように前記電力供給部（１２１，２２１）を制御する、ことを特徴とする機器システム。
【請求項２】
前記電力供給部（１２１，２２１）が、双安定リレー、単安定リレー又はフォトカプラを用いて構成されている請求項１に記載の機器システム。
【請求項３】
前記通信部（１２０，２２０）は、更に受信部（１２９，２２９）を有し、
前記送信部（１２４，２２４）及び前記受信部（１２９，２２９）が、半導体リレーを用いて構成されている請求項１又は２に記載の機器システム。
【請求項４】
前記送信部（１２４，２２４）は、前記通信電源部（１４０，２４０）から出力される電圧に基づき、送信信号を前記通信電源部（１４０，２４０）の電圧に重畳して前記通信線（２０）を通して送信する送信フォトカプラであり、
前記受信部（１２９，２２９）は、前記通信電源部（１４０，２４０）の電圧に重畳されてなる送信信号を前記通信線（２０）を通して受信する受信フォトカプラである請求項３に記載の機器システム。
【請求項５】
前記複数の電気機器（１００，２００）として、給湯用の温水を生成するヒートポンプ機器と、ヒートポンプ機器が生成した温水を貯湯するタンク機器とを備えている請求項１から４の何れか一項に記載の機器システム。
【請求項６】
通信電源部（１４０）と、
前記通信電源部（１４０）への電力の供給又は供給の停止を行う電力供給部（１２１）と、
前記通信電源部（１４０）から電力の供給を受ける送信部（１２４）と、
前記電力供給部（１４０）及び前記送信部（１２４）を制御する制御部（１１０）と、
を有し、
前記制御部（１１０）は、前記送信部（１２４）に送信させるときには、前記通信電源部（１４０）へ電力を供給するように前記電力供給部（１４０）を制御し、前記送信部（１２４）に送信させないときには、前記通信電源部（１４０）への電力の供給を停止するように前記電力供給部（１４０）を制御する、
ことを特徴とする送信装置。
【請求項７】
通信線（２０）と、
前記通信線（２０）を通して通信するための複数の通信部（１２０，１４０）及びこの通信部（１２０，２２０）を制御する制御部（１１０，２１０）と、
を備え、
前記複数の通信部（１２０，１４０）それぞれは、
通信電源部（１４０，２４０）と、
前記通信電源部（１４０，２４０）への電力の供給又は供給の停止を行う電力供給部（１２１，２２１）と、
前記通信電源部（１４０，２４０）から電力の供給を受ける送信部（１２４，２２４）と、
を有し、
前記制御部（１１０，２１０）は、前記送信部（１２４，２２４）に送信させるときには、前記通信電源部（１４０，２４０）へ電力を供給するように前記電力供給部（１２１，２２１）を制御し、前記送信部（１２４，２２４）に送信させないときには、前記通信電源部（１４０，２４０）への電力の供給を停止するように前記電力供給部（１２１，２２１）を制御する、
ことを特徴とする通信システム。
【発明の詳細な説明】
【技術分野】
【０００１】
本発明は、送信装置、そのような送信装置を用いた通信システム、及びそのような送信装置を用いた機器システムに関する。
【背景技術】
【０００２】
従来、複数の電気機器を備えた機器システムでは、協働して動作する複数の電気機器間で双方向通信が行なわれている。
【０００３】
例えば、特許文献１には、空調システムを構成する室外機と室内機との間で行なわれる双方向通信装置が提案されている。図１に、特許文献１に記載の空調システムで用いられている通信装置の概要を示す。
【０００４】
空調システム９００は、図１に示すように、室内機６００及び室外機５００を有している。室内機６００及び室外機５００には、電力線５０，５１により交流電力が供給されている。
【０００５】
室内機６００は、制御部６１０及びこの制御部６１０により制御される通信部６２０を有している。通信部６２０は、送信フォトカプラ６２１及び受信フォトカプラ６２２を有している。図１に示すように、通信部６２０の送信フォトカプラ６２１及び受信フォトカプラ６２２は、直列に接続されている。
【０００６】
同様に室外機５００も、制御部５１０及びこの制御部５１０により制御される通信部５２０を有している。通信部５２０は、送信フォトカプラ５２１及び受信フォトカプラ５２２を有している。図１に示すように、通信部５２０の送信フォトカプラ５２１及び受信フォトカプラ５２２は、直列に接続されている。
【０００７】
室内機６００の通信部６２０と、室外機５００の通信部５２０とは、通信線６０を通して双方向通信を行なう。
【０００８】
図１に示すように、送信フォトカプラ６２１及び受信フォトカプラ６２２と、送信フォトカプラ５２１及び受信フォトカプラ５２２とは、２つの電力線５０、５１の間で、通信線６０を介して、直列に接続されている。
【０００９】
空調システム９００では、室内機６００の通信部６２０及び室外機５００の通信部５００それぞれには、常に電力が供給されているので、通信を行なっていない時にも電力が消費されるという問題がある。
【００１０】
また、空調システム９００では、送信フォトカプラ６２１を用いて、室内機６００から室外機５００の受信フォトカプラ５２２に向かって送信する場合には、受信フォトカプラ６２２及び送信フォトカプラ５２１を導通させておくために、この通信には直接関与しないフォトカプラにも電力を供給しておく必要がある。
【００１１】
同様に、空調システム９００では、送信フォトカプラ５２１を用いて、室外機５００から室内機６００の受信フォトカプラ６２２に向かって送信する場合にも、受信フォトカプラ５２２及び送信フォトカプラ６２１を導通させておくために、この通信には直接関与しないフォトカプラにも電力を供給しておく必要がある。
【００１２】
また、特許文献２には、給湯システムを構成するヒートポンプ機器とタンク機器との間で行なわれる双方向通信装置が提案されている。図２に、特許文献２に記載の給湯システムで用いられている通信装置の概要を示す。
【００１３】
図２に示すように、給湯システム１０００は、給湯用の温水を生成するヒートポンプ機器７００、及びヒートポンプ機器７００が生成した温水を貯湯するタンク機器８００を有している。ヒートポンプ機器７００及びタンク機器８００には、電力線７０，７１により交流電力が供給されている。
【００１４】
ヒートポンプ機器７００は、制御部７１０及びこの制御部７１０により制御される通信部７２０を有している。通信部７２０は、送信フォトカプラ７２１、受信フォトカプラ７２２、及び送信フォトカプラ７２１に電力を供給する通信電源部７４０を有している。
【００１５】
タンク機器８００も同様に、制御部８１０及びこの制御部８１０により制御される通信部８２０を有している。通信部８２０は、送信フォトカプラ８２１、受信フォトカプラ８２２、及び送信フォトカプラ８２１に電力を供給する通信電源部８４０を有している。
【００１６】
給湯システム１０００では、ヒートポンプ機器７００の送信フォトカプラ７２１には、通信電源部７４０から常に電力が供給されているので、送信を行なっていない時にも電力が消費されるという問題がある。同様に、タンク機器８００の送信フォトカプラ８２１には、通信電源部８４０から常に電力が供給されているので、送信を行なっていない時にも電力が消費されるという問題がある。
【００１７】
【特許文献１】特開平８−５１６７５号公報
【特許文献２】特開２００４−２０５１５８号公報
【発明の開示】
【発明が解決しようとする課題】
【００１８】
本発明は、上述した課題を解決するために、送信装置、そのような送信装置を用いた通信システム、及びそのような送信装置を用いた機器システムを提供することを目的とする。
【００１９】
また、本発明は、消費電力を低減する送信装置、そのような送信装置を用いた通信システム、及びそのような送信装置を用いた機器システムを提供することを目的とする。
【課題を解決するための手段】
【００２０】
上述した課題を解決するために、本発明に係る機器システムは、複数の電気機器（１００、２００）と、上記電気機器（１００、２００）にそれぞれ設けられた通信部（１２０、２２０）と、上記通信部（１２０、２２０）同士を接続する通信線（２０）と、上記通信部（１２０，２２０）を制御する制御部（１１０，２１０）と、を備え、上記通信部（１２０，２２０）は、通信電源部（１４０，２４０）と、上記通信電源部（１４０，２４０）への電力の供給又は供給の停止を行う電力供給部（１２１，２２１）と、上記通信電源部（１４０，２４０）から電力の供給を受ける送信部（１２４，２２４）と、を有し、上記制御部（１１０，２１０）は、上記送信部（１２４，２２４）に送信させるときには、上記通信電源部（１４０，２４０）へ電力を供給するように上記電力供給部（１２１，２２１）を制御し、上記送信部（１２４，２２４）に送信させないときには、上記通信電源部（１４０，２４０）への電力の供給を停止するように上記電力供給部（１２１，２２１）を制御する、ことを特徴とする。
【００２１】
これにより、送信しない時には、消費電力を低減することができる。
【００２２】
また、本発明に係る機器システムは、上記電力供給部（１２１，２２１）が、双安定リレー、単安定リレー又はフォトカプラを用いて構成されていることが好ましい。
【００２３】
これにより、制御部は、送信部に送信させるときには、送信部へ電力を供給でき、送信部に送信させないときには、送信部への電力の供給を停止することができる。
【００２４】
また、本発明に係る機器システムは、上記通信部（１２０，２２０）は、更に受信部（１２９，２２９）を有し、上記送信部（１２４，２２４）及び上記受信部（１２９，２２９）が、半導体リレーを用いて構成されていることが好ましい。
【００２５】
これにより、簡易な構成で、遅延及びノイズが低減された送受信ができる。
【００２６】
また、本発明に係る機器システムは、上記送信部（１２４，２２４）が、上記通信電源部（１４０，２４０）から出力される電圧に基づき、送信信号を上記通信電源部（１４０，２４０）の電圧に重畳して上記通信線（２０）を通して送信する送信フォトカプラであり、上記受信部（１２９，２２９）は、上記通信電源部（１４０，２４０）の電圧に重畳されてなる送信信号を上記通信線（２０）を通して受信する受信フォトカプラであることが好ましい。
【００２７】
これにより、送信部及び受信部それぞれにおいて、入力側と出力側を確実に絶縁することができる。
【００２８】
また、本発明に係る機器システムは、上記複数の電気機器（１００，２００）として、給湯用の温水を生成するヒートポンプ機器と、ヒートポンプ機器が生成した温水を貯湯するタンク機器とを備えていることが好ましい。
【００２９】
これにより、消費電力を低減した給湯システムを構成できる。
【００３０】
また、上述した課題を解決するために、本発明に係る送信装置は、通信電源部（１４０）と、上記通信電源部（１４０）への電力の供給又は供給の停止を行う電力供給部（１２１）と、上記通信電源部（１４０）から電力の供給を受ける送信部（１２４）と、上記電力供給部（１４０）及び上記送信部（１２４）を制御する制御部（１１０）と、を有し、上記制御部（１１０）は、上記送信部（１２４）に送信させるときには、上記通信電源部（１４０）へ電力を供給するように上記電力供給部（１４０）を制御し、上記送信部（１２４）に送信させないときには、上記通信電源部（１４０）への電力の供給を停止するように上記電力供給部（１４０）を制御する、ことを特徴とする。
【００３１】
これにより、送信しない時には、消費電力を低減することができる。
【００３２】
更に、上述した課題を解決するために、本発明に係る通信システムは、通信線（２０）と、上記通信線（２０）を通して通信するための複数の通信部（１２０，１４０）及びこの通信部（１２０，２２０）を制御する制御部（１１０，２１０）と、を備え、上記複数の通信部（１２０，１４０）それぞれは、通信電源部（１４０，２４０）と、上記通信電源部（１４０，２４０）への電力の供給又は供給の停止を行う電力供給部（１２１，２２１）と、上記通信電源部（１４０，２４０）から電力の供給を受ける送信部（１２４，２２４）と、を有し、上記制御部（１１０，２１０）は、上記送信部（１２４，２２４）に送信させるときには、上記通信電源部（１４０，２４０）へ電力を供給するように上記電力供給部（１２１，２２１）を制御し、上記送信部（１２４，２２４）に送信させないときには、上記通信電源部（１４０，２４０）への電力の供給を停止するように上記電力供給部（１２１，２２１）を制御する、ことを特徴とする。
【００３３】
これにより、送信しない時には、消費電力を低減することができる。
【００３４】
なお、上記各構成要素に付した括弧内の符号は、後述する実施形態に記載の具体的構成要素との対応関係を示す一例である。
【発明を実施するための最良の形態】
【００３５】
以下、本発明に係る機器システムとしての給湯システムの好ましい実施形態を、図面を参照して説明する。但し、本発明の技術範囲はそれらの実施形態に限定されず、特許請求の範囲に記載された発明とその均等物に及ぶ点に留意されたい。
【００３６】
図３は、本発明に係る給湯システムの第１実施形態のシステム構成図である。図４は、図３の通信部を説明する図である。
【００３７】
本実施形態の給湯システム１は、図３に示すように、電気機器として、給湯用の温水を生成するヒートポンプ機器１００と、ヒートポンプ機器１００が生成した温水を貯湯するタンク機器２００とを備えている。
【００３８】
ヒートポンプ機器１００は、図３に示すように、タンク機器２００との間で通信を行なう通信部１２０と、ヒートポンプ機器１００内に直流定電圧の電力を供給する機器電源部１５０と、冷凍サイクルを有するヒートポンプ部１６０と、上記各部を制御する制御部１１０と、を有している。
【００３９】
タンク機器２００は、図３に示すように、ヒートポンプ機器１００との間で通信を行なう通信部２２０と、タンク機器２００内に直流定電圧の電力を供給する機器電源部２５０と、温水を貯蔵するタンクを有するタンク部２６０と、上記各部を制御する制御部２１０と、を有している。
【００４０】
ヒートポンプ機器１００のヒートポンプ部１６０は、図示しないが、電動圧縮機と、この電動圧縮機により圧縮された高圧冷媒と温水とを熱交換して温水を加熱する熱交換器と、この熱交換器を通過した放熱後の高圧冷媒を減圧する減圧器と、この減圧器により減圧された冷媒を大気の熱で蒸発させる蒸発器等から構成される冷媒サイクルを有している。ヒートポンプ機器１００は、加熱された温水を、図示しないパイプを用いて、タンク機器２００に供給する。
【００４１】
タンク機器２００のタンク部２６０は、図示しないが、ヒートポンプ機器１００により加熱された温水を貯蔵するタンクを有している。タンク機器２００は、タンクに貯蔵された温水を、風呂桶等に出湯する。タンク機器２００は、タンクの下側の出口から温度の低い温水を、図示しないパイプを用いてヒートポンプ機器１００に供給し、ヒートポンプ機器１００で加熱された温水を再びタンク内に貯蔵する。ヒートポンプ機器１００は、タンク機器２００のタンク内の温水が所定の温度に維持されるように、冷凍サイクルを稼動させる。また、タンク機器２００には、水道の給水栓から、水道水が給水される。
【００４２】
また、給湯システム１は、ヒートポンプ機器１００及びタンク機器２００に交流電力を供給する２本の電力線１０，１１と、電力線１０，１１に並列に配設され、且つヒートポンプ機器１００及びタンク機器２００同士を接続し、これら機器間の双方向通信に用いられる通信線２０と、を備えている。通信部１２０、２２０は、ヒートポンプ機器１００及びタンク機器２００それぞれに設けられており、通信線２０を通して双方向通信を行なう。
【００４３】
ヒートポンプ機器１００及びタンク機器２００は、２本の電力線１０，１１に並列に接続されている。また、ヒートポンプ機器１００及びタンク機器２００は、通信線２０に並列に接続されている。
【００４４】
図４に示すように、電力線１０，１１は、接続部３０を介して、タンク機器２００内に導かれている。更に、電力線１０，１１は、接続部３０から、タンク機器２００の接続部３１を介して延出してヒートポンプ機器１００側に導かれ、ヒートポンプ機器１００の接続部３２に接続されている。
【００４５】
ヒートポンプ機器１００の制御部１１０は、通信部１４０から命令又はデータ信号を、通信線２０を通して、タンク機器２００の通信部２４０に送信する。送信するデータとしては、例えば、タンク機器１００に供給する温水の温度、圧力値等が挙げられる。
【００４６】
タンク機器２００の制御部２１０は、通信部２４０から命令又はデータ信号を、通信線２０を通して、ヒートポンプ機器１００の通信部１４０に送信する。送信するデータとしては、例えば、タンク内の温水の温度及び目標温水温度等が挙げられる。
【００４７】
次に、ヒートポンプ機器１００の通信部１２０について以下に説明する。
【００４８】
通信部１２０は、通信電源部１４０、電力供給部１２１、抵抗素子１２２、抵抗素子１２３、送信部１２４、ダイオード１２５、ダイオード１２６、抵抗素子１２７、抵抗素子１２８、及び受信部１２９を有している。
【００４９】
通信電源部１４０は、ダイオード１４１、抵抗素子１４２、コンデンサ１４３、及びツェナーダイオード１４４を有している。
【００５０】
通信電源部１４０は、ダイオード１４１が、電力線１０から供給される交流電圧を半波整流して、整流電圧を抵抗素子１４２を通してツェナーダイオード１４４に出力する。ツェナーダイオード１４４は、半波整流された直流電圧を定電圧化し、ツェナーダイオード１４４に並列接続されたコンデンサ１４３は、半波整流された電圧を平滑して、抵抗素子１２３を通して送信部１２４に出力する。
【００５１】
電力供給部１２１は、電力線１０と上記通信電源部１４０との間に配置されている。電力供給部１２１は、電力線１０から電力の供給を受け、通信電源部１４０への電力の供給又は供給の停止を行う。電力供給部１２１は、制御部１１０によって、送信部１２４に送信させるときには、通信電源部１４０へ電力を供給するように制御され、送信部１２４に送信させないときには、通信電源部１４０への電力の供給を停止するよう制御される。
【００５２】
図５に、本実施形態の電力供給部１２１を説明する図を示す。本実施形態の電力供給部１２１は、双安定リレーを用いて構成されている。電力供給部１２１は、電力線１０と接続されている固定接点１２１ａと、ダイオード１４１と接続されている可動接点１２１ｂと、制御部１１０と接続されているセット用端子１２１ｃと、機器電源部１５０と接続されている電源端子１２１ｄと、制御部１１０と接続されているリセット用端子１２１ｅと、を有している。
【００５３】
次に、送信部１２４について以下に説明する。送信部１２４は、通信電源部１４０から電力の供給を受けて動作する。本実施形態では、送信部１２４が、半導体リレーを用いて構成されている。半導体リレーは、コイル及び可動接点を用いて構成された機械式リレーと比べて、小さな寸法で構成され、入力から出力までの遅延が少なく、ノイズが低減される。具体的には、送信部１２４は、通信電源部１４０から出力される通信電源部１４０の直流電圧に基づき、送信信号を通信電源部１４０の直流電圧に重畳して通信線２０を通して送信する送信フォトカプラである。送信部１２４は、発光ダイオード１２４ａ及びフォトトランジスタ１２４ｂを有している。送信部１２４は、制御部１１０により制御される。
【００５４】
抵抗素子１２３は送信部１２４を過電流から保護し、ダイオード１２５は送信部１２４を逆電圧から保護する。
【００５５】
次に、受信部１２９について以下に説明する。受信部１２９は、通信電源部１４０から電力の供給を受けて動作する。本実施形態では、受信部１２９が、半導体リレーを用いて構成されている。具体的には、受信部１２９は、通信電源部１４０の直流電圧に重畳されてなる送信信号を通信線２０を通して受信する受信フォトカプラである。受信部１２９は、発光ダイオード１２９ａ及びフォトトランジスタ１２９ｂを有している。受信部１２９は、制御部１１０により制御される。
【００５６】
ダイオード１２６は受信部１２９を逆電圧から保護し、抵抗素子１２７は受信部１２９を過電流から保護する。
【００５７】
タンク機器２００の通信部２２０は、通信電源部２４０、電力供給部２２１、抵抗素子２２２、抵抗素子２２３、送信部２２４、ダイオード２２５、ダイオード２２６、抵抗素子２２７、抵抗素子２２８、及び受信部２２９を有している。
【００５８】
タンク機器２００の通信部２２０は、図４に示すように、上述したヒートポンプ機器１００の通信部１２０と同じ構成を有しており、ヒートポンプ機器１００の通信部１２０の説明は、タンク機器２００の通信部２２０に適宜適用される。
【００５９】
次に、上述した給湯システム１において、ヒートポンプ機器１００及びタンク機器２００間における通信を、ヒートポンプ機器１００からタンク機器２００へ送信を行なう場合を例にして、以下に説明する。
【００６０】
まず、ヒートポンプ機器１００の制御部１１０は、命令又はデータ信号を、通信部１２０の送信部１２４に送信させるときには、送信部１２４へ電力を供給するように電力供給部１２１を制御する。
【００６１】
具体的には、制御部１１０が、電力供給部１２１のセット用端子１２１ｃにセット信号を出力して、可動接点１２１ｂを固定接点１２１ａに接続する。これにより、通信電源部１４０に電力が供給されて、通信電源部１４０から送信部１２４に電力が供給される。電力供給部１２１は、制御部１１０がセット信号の出力を止めた後も、制御部１１０がリセット信号を出力するまで、可動接点１２１ｂと固定接点１２１ａとが接続した状態が維持される。
【００６２】
次に、制御部１１０は、発光ダイオード１２４ａに送信信号としてパルス信号を出力すると、発光ダイオード１２４ａには、機器電源部１５０から抵抗素子１２２を通して電流が流れ込むので、発光ダイオード１２４ａがフォトトランジスタ１２４ｂに赤外線を出力する。このため、フォトトランジスタ１２４ｂが赤外線に基づき導通する。
【００６３】
そして、フォトトランジスタ１２４ｂは、通信電源部１４０から供給される直流電圧に基づき、パルス信号を、ダイオード１２５及び通信線２０を通して、タンク機器２００の通信部２２０に送る。
【００６４】
このことにより、送信部１２４が、通信電源部１４０から供給される直流電圧に基づき、パルス信号を通信電源部１４０の電源電圧に重畳して、通信線２０を通してタンク機器２００の通信部２２０に送信することになる。
【００６５】
タンク機器２００の通信部２２０では、ヒートポンプ機器１００から送信されたパルス信号が、ダイオード２２６、抵抗素子２２７を通して受信部２２９に受信される。
【００６６】
受信部２２９では、ヒートポンプ機器１００の通信部１２０が送信した送信信号としてパルス信号が、発光ダイオード２２９ａに入力すると、発光ダイオード２２９ａがパルス信号に基づき赤外線をフォトトランジスタ２２９ｂに出力する。すると、フォトトランジスタ２２９ｂが導通するので、機器電源部２５０から抵抗素子２２８を通して出力される直流電圧に基づいて、フォトトランジスタ２２９ｂのコレクタ端子からパルス信号が制御部２１０に出力される。フォトトランジスタ２２９ｂのコレクタ端子に接続されている抵抗素子２２８には、常に機器電源部２５０により直流電圧が供給されている。
【００６７】
次に、ヒートポンプ機器１００の制御部１１０は、タンク機器２００への命令又はデータの送信が終了すると、電力供給部１２１のリセット用端子１２１ｅにリセット信号を出力して、可動接点１２１を固定接点１２１ａから離す。これにより、可動接点１２１と固定接点１２１ａとが電気的に絶縁されるので、電力線１０から通信電源部１４０への電力が遮断されて、通信電源部１４０は送信部１２４への電力の供給を停止する。電力供給部１２１は、制御部１１０がリセット信号の出力を止めた後も、制御部１１０が再度セット信号を出力するまで、可動接点１２１ｂと固定接点１２１ａとが離れた状態が維持される。
【００６８】
また、給湯システム１において、タンク機器２００からヒートポンプ機器１００へ送信を行なう場合の各部の動作は、ヒートポンプ機器１００からタンク機器２００へ送信する動作と同じであるので、上述した説明が適宜適用される。
【００６９】
上述した本実施形態の給湯システム１は、電力供給部１２１、２２１を有しているので、送信しない場合には、通信電源部１４０、２４０への電力の供給を停止するため、消費電力を低減できる。
【００７０】
また、電力供給部１２１，２２１は、双方向リレーであるので、制御部１１０、２１０は、電力供給部１２１，２２１に対して、セット信号又はリセット信号を一度出力すれば、その後は信号を出力する必要がない。そのため、制御部１１０、２１０は、セット信号又はリセット信号の出力状態を確認する必要がないので、電力供給部１２１，２２１の制御が簡単になる。
【００７１】
また、給湯システム１は、送信部１２４、２２４及び受信部１２９、２２９として、半導体リレーを用いているので、小さな寸法で構成され、遅延及びノイズが低減された送受信ができる。特に、給湯システム１は、半導体リレーとしてフォトカプラを用いているので、送信部１２４、２４４及び受信部１２９、２２９それぞれにおいて、入力側と出力側を確実に絶縁することができる。この構成は、ヒートポンプ機器１００とタンク機器２００間に電位差を有する場合には、特に有効である。
【００７２】
本発明では、上述した送信装置、通信システム、及び機器システムは、本発明の趣旨を逸脱しない限り適宜変更が可能である。例えば、上述した第１実施形態では、機器システムが、ヒートポンプ機器及びタンク機器を有する給湯システムを用いて説明されていたが、本発明に係る機器システムは、室内機及び室外機を有する空調システムであっても良い。
【００７３】
また、上述した第１実施形態では、送信部及び受信部としてフォトカプラを用いていたが、送信部及び受信部としてＭＯＳＦＥＴリレーを用いても良い。
【００７４】
更に、上述した第１実施形態では、制御部が、通信部とは別に設けられていたが、制御部を通信部の一部として、通信部が制御部を有していても良い。
【００７５】
次に、上述した第１実施形態の変形例１及び２の給湯システムを、図６〜８を参照しながら以下に説明する。変形例について特に説明しない点については、上述の第１実施形態に関して詳述した説明が適宜適用される。また、同一の構成要素には同一の符号を付してある。
【００７６】
図６は、変形例１の給湯システム１を示す図である。
【００７７】
図６に示す変形例１の電力供給部１３０は、単安定リレーを用いて構成されている。
【００７８】
図７に、本実施形態の電力供給部１３０を説明する図を示す。電力供給部１３０は、電力線１０と接続されている固定接点１３０ａと、ダイオード１４１と接続されている可動接点１３０ｂと、抵抗素子１３１を通して機器電源部１５０と接続されている電源端子１３０ｃと、トランジスタ１３２を介して制御部１１０と接続されているセット用端子１３０ｄと、を有している。
【００７９】
給湯システム１において、ヒートポンプ機器１００からタンク機器２００に対して、命令又はデータを送信する場合について以下に説明する。ヒートポンプ機器１００の制御部１１０は、命令又はデータ信号を、通信部１２０の送信部１２４に送信させるときには、まず、通信電源部１４０へ電力を供給するように電力供給部１３０を制御する。
【００８０】
具体的には、制御部１１０は、トランジスタ１３２のベースにセット信号を出力する。すると、トランジスタ１３２のエミッタ端子とコレクタ端子間が導通し、機器電源部１５０から抵抗素子１３１を通して、電力供給部１３０の電源端子１３０ｃ及びセット用端子１３０ｄ間に直流電流が流れるので、電力供給部１３０は、可動接点１３０ｂが固定接点１３０ａに接続する。これにより、電力線１０から通信電源部１４０に電力が供給されて、通信電源部１４０から送信部１２４に電力が供給される。制御部１１０は、送信をしている間は、セット信号を電力供給部１３０へ出力し続ける。
【００８１】
制御部１１０は、タンク機器２００への送信が終了すると、トランジスタ１３２へのセット信号の出力を止める。これにより、トランジスタ１３２は遮断するので、機器電源部１５０から抵抗素子１３１を通して、電力供給部１３０の電源端子１３０ｃ及びセット用端子１３０ｄ間に流れる直流電流が停止する。そのため、電力供給部１３０は、可動接点１３０ｂが固定接点１３０ａから離れて、可動接点１３０ｂと固定接点１３０ａとが電気的に絶縁される。そして、電力線１０から通信電源部１４０への電力が遮断されて、通信電源部１４０は送信部１２４への電力の供給を停止する。
【００８２】
給湯システム１において、上述したヒートポンプ機器１００における制御部１１０及び通信部１２０の動作の説明は、タンク機器２００からヒートポンプ機器１００に対して、命令又はデータを送信する場合における、タンク機器２００の制御部２１０及び通信部２２０の動作の説明に対して適宜適用される。
【００８３】
上述した変形例１の給湯システム１は、電力供給部１３０，２３０として単安定リレーを有しているので、電力供給部１３０、２３０の制御をセット信号のみで制御できる。そのため、制御部１１０、２１０からトランジスタ１３２、２３２を介した電力供給部１３０、２３０への接続配線の数を少なくできるので、通信部１２０，２２０の構成を簡単にできる。
【００８４】
図８は、変形例２の給湯システム１を示す図である。
【００８５】
図８に示す変形例２の電力供給部１３３は、フォトカプラを用いて構成されている。電力供給部１３３は、発光ダイオード１３３ａ及びフォトトランジスタ１３３ｂを有している。
【００８６】
給湯システム１において、ヒートポンプ機器１００からタンク機器２００に対して、命令又はデータを送信する場合について以下に説明する。ヒートポンプ機器１００の制御部１１０は、命令又はデータ信号を、通信部１２０の送信部１２４に送信させるときには、まず、通信電源部１４０へ電力を供給するように電力供給部１３３を制御する。
【００８７】
具体的には、制御部１１０は、電力供給部１３３の発光ダイオード１３３ａにセット信号を出力すると、発光ダイオード１３３ａには、機器電源部１５０から抵抗素子１３１を通して電流が流れ込むので、発光ダイオード１３３ａがフォトトランジスタ１３３ｂに赤外線を出力する。このため、フォトトランジスタ１３３ｂが赤外線に基づき導通する。
【００８８】
これにより、通信電源部１４０に電力が供給されて、通信電源部１４０から送信部１２４に電力が供給される。制御部１１０は、送信をしている間は、セット信号を電力供給部１３３へ出力し続ける。
【００８９】
制御部１１０は、タンク機器２００への送信が終了すると、電力供給部１３３へのセット信号の出力を止める。これにより、発光ダイオード１３３ａがフォトトランジスタ１３３ｂに赤外線の出力を停止する。このため、フォトトランジスタ１３３ｂが遮断するので、電力線１０から通信電源部１４０への電力が遮断されて、通信電源部１４０は送信部１２４への電力の供給を停止する。
【００９０】
給湯システム１において、上述したヒートポンプ機器１００における制御部１１０及び通信部１２０の動作の説明は、タンク機器２００からヒートポンプ機器１００に対して、命令又はデータを送信する場合における、タンク機器２００の制御部２１０及び通信部２２０の動作の説明に対して適宜適用される。
【００９１】
上述した変形例２の給湯システム１は、電力供給部１３３、２３３としてフォトカプラを有しているので、電力供給部を小さい回路で構成することができる。
【００９２】
図９は、本発明に係る第２実施形態の機器システム２を示す図である。
【００９３】
機器システム２は、複数の電気機器１００ａ、１００ｂ、・・・１００ｎと、２本の電力線１０，１１と、電力線１０，１１に並列して配設された通信線２０と、複数の電気機器１００ａ、１００ｂ、・・・１００ｎそれぞれに設けられており、通信線２０を通して通信するための複数の通信部１２０ａ、１２０ｂ、・・・１２０ｎ、及びこの通信部１２０ａ、１２０ｂ、・・・１２０ｎを制御する制御部１１０ａ、１１０ｂ、・・・１１０ｎと、を備えている。
【００９４】
複数の電気機器１００ａ、１００ｂ、・・・１００ｎそれぞれは、２本の電力線１０，１１に並列に接続されている。また、複数の電気機器１００ａ、１００ｂ、・・・１００ｎそれぞれは、通信線２０に並列に接続されている。
【００９５】
複数の通信部１２０ａ、１２０ｂ、・・・１２０ｎは、上述した第１実施形態の給湯システムにおける通信部と同じ構成を有している。
【００９６】
上述した機器システム２によれば、送信しない場合には消費電力が低減される通信部を複数有しているので、機器システム２全体としての消費電力を大きく低減できる。
【図面の簡単な説明】
【００９７】
【図１】従来の機器システムを説明する図である。
【図２】従来の他の機器システムを説明する図である。
【図３】本発明に係る機器システムの第１実施形態のシステム構成図である。
【図４】図３の通信部を説明する図である。
【図５】図３の電力供給部を説明する図である。
【図６】図３の変形例を示す図である。
【図７】図６の電力供給部を説明する図である。
【図８】図３の他の変形例を示す図である。
【図９】図３の他の実施形態を示す図である。
【符号の説明】
【００９８】
１    給湯システム（機器システム）
１０、１１    電力線
２０    通信線
１００    ヒートポンプ機器（電気機器）
１１０    制御部
１２０    通信部
１２１    電力供給部
１２４    送信部
１２９    受信部
１４０    通信電源部
２００    タンク機器（電気機器）
２１０    制御部
２２０    通信部
２２１    電力供給部
２２４    送信部
２２９    受信部
２４０    通信電源部
【図１】
2009299956.tif 000003
【図２】
2009299956.tif 000004
【図３】
2009299956.tif 000005
【図４】
2009299956.tif 000006
【図５】
2009299956.tif 000007
【図６】
2009299956.tif 000008
【図７】
2009299956.tif 000009
【図８】
2009299956.tif 000010
【図９】
2009299956.tif 000011